(57)【要約】【課題】押印の際の力の大きさや方向等によって生じる差異と軽微な異印が押印されたことによって生じる差異とを区別することが可能な技術を提供する。【解決手段】印鑑照合装置１０は、取得した照合用画像データから照合印画像データを抽出し、抽出した照合印画像データと登録印画像データとを重ね合わせる印鑑照合制御部１００と、印鑑照合制御部１００が重ね合わせた照合印画像データと登録印画像データとにおいて一方の画像を構成する画素のうちで対応する座標によって指定される中心画素と他方の画像を構成する画素のうちで対応する座標によって指定される中心画素および中心画素の隣接周囲画素とを比較する誤差画像判定補助部５００と、を備える。【選択図】図９
2010231543.tif 000002
【特許請求の範囲】
【請求項１】
事前に登録されている登録印画像データと照合印が押印された照合印画像データとを照合することによって前記照合印が前記登録印と同印であるか否かを判定する印鑑照合装置であって、
照合用画像データを記憶する照合用画像データ記憶部と、
前記照合用画像データ記憶部が記憶する前記照合用画像データを管理する照合用画像データ管理部と、
前記登録印画像データを記憶する登録印画像データ記憶部と、
前記登録印画像データ記憶部が記憶する前記登録印画像データを管理する登録印画像データ管理部と、
前記照合用画像データ記憶部から前記照合用画像データ管理部を介して前記照合用画像データを取得し、取得した前記照合用画像データから照合印画像データを抽出し、抽出した前記照合印画像データと前記登録印画像データとを重ね合わせる印鑑照合制御部と、
前記印鑑照合制御部が重ね合わせた前記照合印画像データと前記登録印画像データとにおいて一方の画像を構成する画素のうちで対応する座標によって指定される中心画素と他方の画像を構成する画素のうちで対応する座標によって指定される中心画素および中心画素の隣接周囲画素とを比較する誤差画像判定補助部と、
を備えることを特徴とする、印鑑照合装置。
【請求項２】
前記誤差画像判定補助部は、
一方の前記中心画素が所定の画素値を有する画素であり、他方の前記中心画素または前記隣接周囲画素に前記所定の画素値を有する画素が１つも無い場合に、対応する画素に誤差が生じていると判定し、その他の場合には対応する画素が一致していると判定する、
ことを特徴とする、請求項１に記載の印鑑照合装置。
【請求項３】
前記誤差画像判定補助部は、
誤差が生じていると判定した前記対応する画素と、一致していると判定した前記対応する画素とを異なる画素値として設定した誤差画像データを生成する、
ことを特徴とする、請求項２に記載の印鑑照合装置。
【請求項４】
前記印鑑照合制御部は、
前記誤差画像データを表示部に出力する、
ことを特徴とする、請求項３に記載の印鑑照合装置。
【請求項５】
前記印鑑照合制御部は、
前記誤差画像データに設定されている画素値を、前記誤差画像を分割して得られる領域別に所定量以上誤差があるか否かを判定し、所定量以上誤差があると判定した領域を誤差領域として判定する、
ことを特徴とする、請求項３に記載の印鑑照合装置。
【請求項６】
前記印鑑照合制御部は、
前記誤差領域を特定するための情報を表示部に出力する、
ことを特徴とする、請求項５に記載の印鑑照合装置。
【請求項７】
事前に登録されている登録印画像データと照合印が押印された照合印画像データとを照合することによって前記照合印が前記登録印と同印であるか否かを判定し、照合用画像データを記憶する照合用画像データ記憶部と、前記照合用画像データ記憶部が記憶する前記照合用画像データを管理する照合用画像データ管理部と、前記登録印画像データを記憶する登録印画像データ記憶部と、前記登録印画像データ記憶部が記憶する前記登録印画像データを管理する登録印画像データ管理部と、を備える印鑑照合装置による印鑑照合方法であって、
前記印鑑照合制御部により、前記照合用画像データ記憶部から前記照合用画像データ管理部を介して前記照合用画像データを取得し、取得した前記照合用画像データから照合印画像データを抽出し、抽出した前記照合印画像データと前記登録印画像データとを重ね合わせるステップと、
前記誤差画像判定補助部により、前記印鑑照合制御部が重ね合わせた前記照合印画像データと前記登録印画像データとにおいて一方の画像を構成する画素のうちで対応する座標によって指定される中心画素と他方の画像を構成する画素のうちで対応する座標によって指定される中心画素および中心画素の隣接周囲画素とを比較するステップと、
を含むことを特徴とする、印鑑照合方法。
【発明の詳細な説明】
【技術分野】
【０００１】
本発明は、あらかじめシステム上に登録された登録印と、帳票上の押印欄に押印された印影とを照合する印鑑照合装置および印鑑照合方法に関する。
【背景技術】
【０００２】
印鑑照合装置は、照合したい印影（以下、「被照合印影」という）をイメージ読取装置などで画像化して画像データ（以下、「照合印画像データ」という）を取得する。また、印鑑照合装置は、あらかじめ登録された対応する印影（以下、「登録印影」）を画像化したデータ（以下、「登録印画像データ」という）をデータベースから取り出す。そして、印鑑照合装置は、両画像（「照合印画像」と「登録印画像」）の傾きや位置を調整して両画像を重ね合わせて表示している。オペレータは表示された画像の確認を行っている。この確認において、オペレータが両画像の違いを見つける作業を支援する仕組みが従来から存在している。
【０００３】
例えば、特許文献１に開示されている技術では、両画像に細線化処理を施すことで、押印時の力の具合による線幅の差の吸収を図っている。
【先行技術文献】
【特許文献】
【０００４】
【特許文献１】特開２００２−２４５４５９号公報
【発明の概要】
【発明が解決しようとする課題】
【０００５】
しかしながら、照合印画像の線分を鮮明に得られない場合が多くある。線分が正しく得られなければ有効な細線化画像の作成はできない。
【０００６】
他にも、照合印画像と登録印画像とにおいて重なり合う部分の面積の割合を数値化して表示する一般的な方式がある。しかし、押印された印影は押印の際の力の大きさや方向等によってある程度異なるため、この数値によって、押印の際の力の大きさや方向等によって生じる差異と軽微な異印（正常な印とは異なる印）が押印されたことによって生じる差異とを区別することは困難であるという問題がある。また、照合印画像と登録印画像との差異が小さい場合にその差異を見落としてしまうという問題がある。
【０００７】
そこで、本発明は、上記問題に鑑みてなされたものであり、本発明の目的とするところは、押印の際の力の大きさや方向等によって生じる差異と軽微な異印が押印されたことによって生じる差異とを区別することが可能な技術を提供することにある。
【課題を解決するための手段】
【０００８】
上記問題を解決するために、本発明のある観点によれば、事前に登録されている登録印画像データと照合印が押印された照合印画像データとを照合することによって照合印が登録印と同印であるか否かを判定する印鑑照合装置であって、照合用画像データを記憶する照合用画像データ記憶部と、照合用画像データ記憶部が記憶する照合用画像データを管理する照合用画像データ管理部と、登録印画像データを記憶する登録印画像データ記憶部と、登録印画像データ記憶部が記憶する登録印画像データを管理する登録印画像データ管理部と、照合用画像データ記憶部から照合用画像データ管理部を介して照合用画像データを取得し、取得した照合用画像データから照合印画像データを抽出し、抽出した照合印画像データと登録印画像データとを重ね合わせる印鑑照合制御部と、印鑑照合制御部が重ね合わせた照合印画像データと登録印画像データとにおいて一方の画像を構成する画素のうちで対応する座標によって指定される中心画素と他方の画像を構成する画素のうちで対応する座標によって指定される中心画素および中心画素の隣接周囲画素とを比較する誤差画像判定補助部と、を備えることを特徴とする、印鑑照合装置が提供される。
【０００９】
誤差画像判定補助部は、一方の中心画素が所定の画素値を有する画素であり、他方の中心画素または隣接周囲画素に所定の画素値を有する画素が１つも無い場合に、対応する画素に誤差が生じていると判定し、その他の場合には対応する画素が一致していると判定することとしてもよい。
【００１０】
誤差画像判定補助部は、誤差が生じていると判定した対応する画素と、一致していると判定した対応する画素とを異なる画素値として設定した誤差画像データを生成することとしてもよい。印鑑照合制御部は、誤差画像データを表示部に出力することとしてもよい。
【００１１】
印鑑照合制御部は、誤差画像データに設定されている画素値を、誤差画像を分割して得られる領域別に所定量以上誤差があるか否かを判定し、所定量以上誤差があると判定した領域を誤差領域として判定することとしてもよい。印鑑照合制御部は、誤差領域を特定するための情報を表示部に出力することとしてもよい。
【００１２】
また、本発明の別の観点によれば、事前に登録されている登録印画像データと照合印が押印された照合印画像データとを照合することによって照合印が登録印と同印であるか否かを判定し、照合用画像データを記憶する照合用画像データ記憶部と、照合用画像データ記憶部が記憶する照合用画像データを管理する照合用画像データ管理部と、登録印画像データを記憶する登録印画像データ記憶部と、登録印画像データ記憶部が記憶する登録印画像データを管理する登録印画像データ管理部と、を備える印鑑照合装置による印鑑照合方法であって、印鑑照合制御部により、照合用画像データ記憶部から照合用画像データ管理部を介して照合用画像データを取得し、取得した照合用画像データから照合印画像データを抽出し、抽出した照合印画像データと登録印画像データとを重ね合わせるステップと、誤差画像判定補助部により、印鑑照合制御部が重ね合わせた照合印画像データと登録印画像データとにおいて一方の画像を構成する画素のうちで対応する座標によって指定される中心画素と他方の画像を構成する画素のうちで対応する座標によって指定される中心画素および中心画素の隣接周囲画素とを比較するステップと、を含むことを特徴とする、印鑑照合方法が提供される。
【発明の効果】
【００１３】
以上説明したように本発明によれば、押印の際の力の大きさや方向等によって生じる誤差と軽微な異印が押印されたことによって生じる誤差とを区別することが可能な技術を提供することができる。
【図面の簡単な説明】
【００１４】
【図１】本実施形態に適用しうる一般的な印鑑照合装置の機能構成を示す図である。
【図２】本実施形態に適用しうる一般的な印鑑照合装置が実行する処理の流れを示すフローチャートである。
【図３】照合用画像の一例を示す図である。
【図４】照合印画像の一例を示す図である。
【図５】照合印が正常な場合において算出された差分抽出結果の一例を示す図である。
【図６】照合印に誤りがある場合において算出された差分抽出結果の一例を示す図である。
【図７】照合印の印影が鮮明ではない場合における差分抽出画像の例を示す図であり、（ａ）は、照合印の印影にムラがある場合、（ｂ）は、照合印の印影が細い場合、（ｃ）は、照合印の印影が太い場合を示している。
【図８】照合印に誤りがある場合において算出された差分抽出結果の他の一例を示す図である。
【図９】本実施形態に係る印鑑照合装置の機能構成を示す図である。
【図１０】対応する画素に「誤差」が生じている場合と対応する画素が「一致」している場合として考えられる組み合わせを示す図である。
【図１１】本実施形態に係る印鑑照合装置が実行する処理の流れを示すフローチャートである。
【図１２】本実施形態に係る印鑑照合装置によって作成された誤差画像の一例を示す図である。
【図１３】本実施形態に係る印鑑照合装置によって判定された誤差領域を示す図である。
【図１４】本実施形態に係る印鑑照合装置によってさらに狭い範囲によって特定された誤差領域を示す図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜本実施形態に適用しうる一般的な技術＞
［構成の説明］
図１は、本実施形態に適用しうる一般的な印鑑照合装置の機能構成を示す図である。図１に示したように、本実施形態に適用しうる一般的な印鑑照合装置１０’は、印鑑照合制御部１００’と、登録印画像データ管理部２００と、登録印画像データ記憶部２１０と、照合用画像データ管理部３００と、照合用画像データ記憶部３１０と、帳票読取部４００とを備えるものである。印鑑照合制御部１００’は、事前に登録されている登録印画像データと照合印が押印された照合印画像データとを照合することによって照合印が登録印と同印であるか否かを判定する。
【００１７】
登録印画像データ管理部２００は、登録印画像データを管理するものである。すなわち、登録印画像データ管理部２００は、登録印画像データの登録を受け付けて登録印画像データ記憶部２１０に記憶させ、印鑑照合制御部１００’からの指示により、登録印画像データ記憶部２１０から登録印画像データを読み出して印鑑照合制御部１００’に出力する。登録印画像データ管理部２００は、例えば、スキャナ等の入力装置、ＣＰＵ（Ｃｅｎｔｒａｌ  Ｐｒｏｃｅｓｓｉｎｇ  Ｕｎｉｔ）等によって構成され、例えば、入力装置が登録印画像を読み込むことによって登録印画像データを取得して登録印画像データ記憶部２１０に記憶させる。また、登録印画像データ管理部２００は、例えば、ＣＰＵが印鑑照合装置１０’内に存在するＲＡＭ（Ｒａｎｄｏｍ  Ａｃｃｅｓｓ  Ｍｅｍｏｒｙ）等のメモリに格納されたプログラムを実行することによってその機能が実現される。また、登録印画像データ管理部２００は、通信装置等によって構成され、印鑑照合装置１０’の外部に備えられた入力装置が取得した登録印画像データを通信装置によって受信することとしてもよい。
【００１８】
登録印画像データ記憶部２１０は、登録印画像データを記憶するものである。登録印画像データ記憶部２１０は、登録印画像データ管理部２００から登録印画像データが入力されると、入力された登録印画像データを記憶する。また、登録印画像データ管理部２００からの指示により、記憶している登録印画像データを登録印画像データ管理部２００に出力する。登録印画像データ記憶部２１０は、例えば、ＨＤＤ（Ｈａｒｄ  Ｄｉｓｋ  Ｄｒｉｖｅ）等によって構成される。
【００１９】
照合用画像データ管理部３００は、照合用画像データを管理するものである。すなわち、照合用画像データ管理部３００は、帳票読取部４００から照合用画像データが入力されると、入力された照合用画像データを照合用画像データ記憶部３１０に記憶させ、印鑑照合制御部１００’からの指示により、照合用画像データ記憶部３１０から照合用画像データを読み出して印鑑照合制御部１００’に出力する。照合用画像データ管理部３００は、例えば、ＣＰＵ等によって構成され、ＣＰＵが印鑑照合装置１０’内に存在するＲＡＭ等のメモリに格納されたプログラムを実行することによってその機能が実現される。
【００２０】
照合用画像データ記憶部３１０は、照合用画像データを記憶するものである。照合用画像データ記憶部３１０は、照合用画像データ管理部３００から照合用画像データが入力されると、入力された照合用画像データを記憶する。また、照合用画像データ管理部３００からの指示により、記憶している照合用画像データを照合用画像データ管理部３００に出力する。照合用画像データ記憶部３１０は、例えば、ＨＤＤ等によって構成される。
【００２１】
帳票読取部４００は、照合用画像データを取得するものである。すなわち、帳票読取部４００は、照合用画像データを取得して照合用画像データ管理部３００に出力する。帳票読取部４００は、例えば、スキャナ等の入力装置等によって構成され、例えば、入力装置が帳票を読み取ることによって照合用画像データを取得して照合用画像データ管理部３００に出力する。帳票読取部４００が照合用画像データを取得する手法については特に限定されるものではなく、印鑑照合を行う必要のある照合印が押印された帳票以外のものから照合用画像データを取得することとしてもよい。
【００２２】
印鑑照合制御部１００’は、印鑑照合装置１０’内の各機能ブロックを制御して照合処理を行うものである。具体的には、印鑑照合制御部１００’は、照合印画像データと登録印画像データとを照合する。印鑑照合制御部１００’は、照合をするに際して、照合用画像データを出力する旨を示す指示を照合用画像データ管理部３００に出力し、照合用画像データ管理部３００から入力された照合用画像データから照合印画像データを抽出して照合印画像データを取得する。すなわち、印鑑照合制御部１００’は、照合用画像データ管理部３００を介して照合用画像データ記憶部３１０から照合用画像データを取得する。また、印鑑照合制御部１００’は、登録印画像データを出力する旨を示す指示を登録印画像データ管理部２００に出力し、登録印画像データ管理部２００から登録印画像データの入力を受け付けることで登録印画像データを取得する。すなわち、印鑑照合制御部１００’は、登録印画像データ管理部２００を介して登録印画像データ記憶部２１０から登録印画像データを取得する。
【００２３】
印鑑照合制御部１００’は、取得した照合印画像データと登録印画像データとを重ね合わせて差分量を算出し、算出した差分量を判定することによって、照合印と登録印とが同じものであるのか（照合印が正常であるのか）、異なるものであるのか（照合印に誤りがあるのか）について判定する。印鑑照合制御部１００’は、例えば、ＣＰＵ等によって構成され、ＣＰＵが印鑑照合装置１０’内に存在するＲＡＭ等のメモリに格納されたプログラムを実行することによってその機能が実現される。
【００２４】
［動作の説明］
続いて、本実施形態に適用しうる一般的な印鑑照合装置が実行する処理の概要を図２に示す。図２は、本実施形態に適用しうる一般的な印鑑照合装置が実行する処理の流れを示すフローチャートである。
【００２５】
ステップＳ１０では、印鑑照合制御部１００’は、照合用画像データ管理部３００を制御し、照合用画像データ管理部３００が帳票読取部４００から取得した照合用画像データを取得する。帳票読取部４００は、照合用画像をスキャンして照合用画像データを取得する。
【００２６】
スキャンされる照合用画像の一例を図３に示す。図３は、照合用画像の一例を示す図である。ステップＳ２０では、印鑑照合制御部１００’は、帳票上（照合用画像３１１）の座標位置などを基に、照合用画像３１１から印影画像（例えば、図３に示した「捺印」の矩形枠内の領域）の切り出し（照合印画像データの抽出）を行う。切り出された照合印影画像（照合印画像）の一例を図４に示す。図４は、照合印画像の一例を示す図である。図４に示す照合印画像３１２（３１２ａ）は、正常な照合印（登録印と同じ照合印）が押印された画像である。
【００２７】
ステップＳ３０では、印鑑照合制御部１００’は、登録印画像データ管理部２００を制御し、登録印影画像データ（登録印画像データ）を取得する。登録印画像データ記憶部２１０に登録印画像データと口座番号とが対応付けられて記憶されている場合には、印鑑照合制御部１００’は、例えば、口座番号を指定して所望の登録印画像データを登録印画像データ管理部２００から取得することができる。このときに指定される口座番号は、例えば、印鑑照合制御部１００’が、帳票読取部４００により照合用画像３１１の「口座番号」欄から読み取った読み取りデータから口座番号を抽出することによって取得される。
【００２８】
ステップＳ４０では、印鑑照合制御部１００’は、登録印画像の向きを変更しながら、登録印画像と照合印画像とにおいて重なる部分が大きい状態における登録印画像の向き・位置を決定する。重なる部分とは、対応する登録印画像を構成する画素と照合印画像を構成する画素との間で画素値が等しくなる部分を意味するものとする。画素値とは、画素の色や明るさを示す値である。なお、ここでは、印鑑照合制御部１００’は、登録印画像の向きを変更することとするが、照合印画像の向きを変更することとしてもよい。ステップＳ５０では、ステップＳ４０で重ね合わせた画像同士を比較し、対応する画素間における画素値の差分値を算出する。算出した差分値を各画素に対応する座標位置に並べて得られる画像を差分抽出画像とする。
【００２９】
図５は、照合印が正常な場合において算出された差分抽出結果の一例を示す図である。図５に示すように、印鑑照合装置１０’は、登録印画像２１２と照合印画像（正常な印）３１２（３１２ａ）との差分抽出結果として差分抽出画像５１１（５１１ａ）を取得する。図５において、一方の画像の画素が黒で、他方の画像の対応する画素が白である場合には、その画素は、差分値を有する画素として黒で示されている。図５に示す例では、照合印が正常であるため（照合印が鮮明であり、登録印と同印であるため）、差分値を有する画素はほとんど存在しない。
【００３０】
図６は、照合印に誤りがある場合において算出された差分抽出結果の一例を示す図である。図６に示すように、印鑑照合装置１０’は、登録印画像２１２と照合印画像（誤りのある印）３１２（３１２ｂ）との差分抽出結果として差分抽出画像５１１（５１１ｂ）を取得する。図６に示す例では、照合印に誤りがあるため（照合印が登録印と異なる印であるため）、差分値を有する画素が多く存在する。
【００３１】
ステップＳ６０では、印鑑照合制御部１００’は、ステップＳ５０で算出した差分値（差分量）を集計して、照合印が登録印と同じ印であるか否かを判定する。印鑑照合制御部１００’は、例えば、差分値を有する画素の数を累計し、累計して得た画素数があらかじめ決めた閾値Ｔｈｒ１以下であれば、同じ印と判定する。印鑑照合制御部１００’は、例えば、差分値が「０」以外である画素が差分値を有すると判定してもよいし、差分値が閾値Ｔｈｒ２よりも大きい画素が差分値を有すると判定してもよい。ここでは、画素値として、「０（白）」と「１（黒）」とのうちのいずれかの値を取り得るものとし、差分値が「０」以外である画素が差分値を有すると判定することにする。これらの閾値Ｔｈｒ１、Ｔｈｒ２等は、例えば、印鑑照合装置１０’内に存在するＲＡＭ等のメモリに格納されているものとする。
【００３２】
［本実施形態に適用しうる一般的な印鑑照合装置のまとめ］
本実施形態に適用しうる一般的な印鑑照合装置について説明したが、実際に押印される照合印の印影は鮮明であるとは限らず、照合印と登録印との間にはしばしば多くの差異が検出される。例を３つ図７に示す。図７は、照合印の印影が鮮明ではない場合における差分抽出画像の例を示す図であり、図７（ａ）は、照合印の印影にムラがある場合、図７（ｂ）は、照合印の印影が細い場合、図７（ｃ）は、照合印の印影が太い場合を示している。
【００３３】
図７（ａ）は、登録印画像２１２と照合印画像（ムラのある印影）３１２（３１２ｃ）との差分抽出画像５１１（５１１ｃ）を示している。図７（ｂ）は、登録印画像２１２と照合印画像（細い印影）３１２（３１２ｄ）との差分抽出画像５１１（５１１ｄ）を示している。図７（ｃ）は、登録印画像２１２と照合印画像（太い印影）３１２（３１２ｅ）との差分抽出画像５１１（５１１ｅ）を示している。
【００３４】
図８は、照合印に誤りがある場合において算出された差分抽出結果の他の一例を示す図である。図８に示すように、印鑑照合装置１０’は、登録印画像２１３と照合印画像（誤りのある印）３１３との差分抽出結果として差分抽出画像５１２を取得する。図８に示す例では、図６に示した場合と同様に、照合印に誤りがあるため（照合印が登録印と異なる印であるため）、差分値を有する画素が存在する。
【００３５】
上記した手法によって照合印が登録印と同じ印であるか否かを判定する場合に、単純に許容する差分画素量（Ｔｈｒ１）を大きくすれば、登録印と異なる照合印を見落とすことになってしまう。また、上記した特許文献１に開示された技術においても、鮮明でない画像や、太く連結情報が変わってしまった画像に対して細線化処理は有効に働かない。
【００３６】
＜第１本実施形態＞
［構成の説明］
図９は、本実施形態に係る印鑑照合装置の機能構成を示す図である。図９に示すように、本発明の第１実施形態に係る印鑑照合装置１０は、印鑑照合制御部１００の機能が印鑑照合制御部１００’の機能と異なり、誤差画像判定補助部５００をさらに備えている点において、上記した本実施形態に適用しうる一般的な印鑑照合装置１０’と相違する。したがって、印鑑照合装置１０が備える構成のうちで、印鑑照合装置１０’が備える構成と同一の機能を有するものについては、印鑑照合装置１０’が備える構成と同一の符号を付して説明を省略する。
【００３７】
印鑑照合制御部１００は、印鑑照合装置１０内の各機能ブロックを制御して照合処理を行うものである。具体的には、印鑑照合制御部１００は、照合印画像データと登録印画像データとを照合する。印鑑照合制御部１００は、照合をするに際して、照合用画像データを出力する旨を示す指示を照合用画像データ管理部３００に出力し、照合用画像データ管理部３００から入力された照合用画像データから照合印画像データを抽出して照合印画像データを取得する。また、印鑑照合制御部１００は、登録印画像データを出力する旨を示す指示を登録印画像データ管理部２００に出力し、登録印画像データ管理部２００から登録印画像データの入力を受け付けることで登録印画像データを取得する。印鑑照合制御部１００は、取得した照合印画像データと登録印画像データとを誤差画像判定補助部５００に出力する。
【００３８】
また、印鑑照合制御部１００は、誤差画像判定補助部５００から入力された「誤差画像」データを差分量として判定して、照合印と登録印とが同じものであるか（照合印が正常であるのか）、異なるものであるのか（照合印に誤りがあるのか）について判定する。印鑑照合制御部１００は、上記の判定を、「誤差画像」を構成する領域別に行うこととしてもよい。印鑑照合制御部１００は、判定結果を印鑑照合装置１０に接続された表示部（不図示）に出力する。
【００３９】
誤差画像判定補助部５００は、以下に説明する「誤差画像」を取得する処理を実行する。誤差画像判定補助部５００は、例えば、ＣＰＵが印鑑照合装置１０内に存在するＲＡＭ等のメモリに格納されたプログラムを実行することによってその機能が実現される。
【００４０】
「誤差画像」は、重なり合う部分が大きくなるように照合印画像と登録印画像とを重ね合わせて各画像の対応する座標に対し、図１０に示すようなパターンで処理を行うことによって得られる画像である。
【００４１】
具体的には、誤差画像判定補助部５００は、一方の画像を構成する画素のうちで対応する座標によって指定される中心画素と他方の画像を構成する画素のうちで対応する座標によって指定される中心画素および中心画素の隣接周囲画素とを比較する。誤差画像判定補助部５００は、比較の結果、「一方の中心画素が黒の（所定の画素値を有する）画素であり、他方の中心画素または隣接周囲画素に黒の（所定の画素値を有する）画素が１つも無い場合」には対応する画素に「誤差」が生じていると判定し、「その他の場合」には対応する画素が「一致」していると判定する。隣接周囲画素は、中心画素を除いて中心画素の周囲Ｎ画素までに存在する画素とする。Ｎの値は特に限定されるものではなく、隣接周囲画素の数は、（２Ｎ＋１）２−１となる。Ｎが１の場合は中心画素の１つ外側を囲うように存在する８つの画素が隣接周囲画素となる。
【００４２】
図１０は、対応する画素に「誤差」が生じている場合と対応する画素が「一致」している場合として考えられる組み合わせを示す図である。破線枠は、隣接周囲探索範囲を示している。隣接周囲探索範囲内の画素が隣接周囲画素である。ただし、隣接探索範囲の中心に存在するのは中心画素である。図１０では、登録印画像の中心画素および隣接周囲画素を「登録」と示しており、照合印画像データの中心画素および隣接周囲画素を「被照合」と示している。
【００４３】
誤差画像判定補助部５００は、図１０に示したように対応する画素について「一致」または「誤差」を判定結果として求め、対応する画素を指定する座標に対応付けて値を格納できる配列に判定結果を格納する。配列は、例えば、印鑑照合装置１０内に存在するＲＡＭ等のメモリに確保されているものとする。この配列は、「誤差」と「一致」とで塗り分けられた画像データと考えられるため、「誤差画像」データとよぶことにする。誤差画像判定補助部５００は、このようにして、誤差が生じていると判定した対応する画素と、一致していると判定した対応する画素とを異なる画素値として設定した誤差画像データを生成する。
【００４４】
［動作の説明］
提案する手順を図１１に示す。図１１は、本実施形態に係る印鑑照合装置が実行する処理の流れを示すフローチャートである。なお、ステップＳ１０〜ステップＳ４０の処理については、図２を用いて説明した処理と同様であるため、説明を省略する。
【００４５】
ステップＳ１５０では、誤差画像判定補助部５００は、ずらし差分抽出を行い、上記した「誤差画像」の作成を行う。Ｎに設定される値は特に限定されるものではないが、例えば、照合印画像の幅の３％程度（または５％程度でもよい）の値を指定することとすればよい。印鑑照合制御部１００は、「誤差画像」を、対応する画素間で画素値が一致しない場合でも、その画素からＮ画素離れた隣接周囲に存在する画素に対しても探索を行う。このため、印鑑照合制御部１００は、対応する画素間において画素値に差異が生じている画像間において、画素値に差異が生じている連続領域が比較的広い範囲にひろがっている場合にはその連続領域については誤差が生じていると判定することができる。他方において、画素値に差異が生じている連続領域が比較的狭い範囲にしかひろがっていない場合にはその連続領域については誤差が生じていないと判定することができる（誤差を許容することができる）。
【００４６】
図１２は、本実施形態に係る印鑑照合装置によって作成された誤差画像の一例を示す図である。図１２に示すように、誤差画像６１２を構成する画素のうち、軽微な異印が押印されたことによって登録印画像２１３と照合印画像３１３との間に差異が生じている連続領域（「太田」の点に相当する部分）を構成する画素については大きく黒で示されている。他方において、押印の際の力の大きさや方向等によって両画像に差異が生じている連続領域（印鑑の縁の部分や、「大田」に相当する部分）については、小さく黒で示されている。
【００４７】
ステップＳ１６０では、印鑑照合制御部１００は、誤差画像の差分量（誤差画像データに設定されている画素値）を領域別に判定する。ステップＳ１５０で誤差画像判定補助部５００が作成した誤差画像６１２を分割する。分割する方向については特に限定されるものではないが、本実施形態では、縦方向、横方向に誤差画像６１２を分割するものとする。印鑑照合制御部１００は、分割して得られる各領域内に所定量以上誤差があるか否かを判定し、所定量以上誤差があると判定した場合、その領域を誤差領域として判定する。所定量以上とする理由は、照合印画像に存在する微細なノイズを除外するためである。また、各領域内の誤差となる部分の前記連続領域について、連続領域の広さ（連続している画素の数等）が一定以上の場合に、所定量の誤差があると判断するようにしてもよい。これにより細かい誤差が除外されるので、さらにノイズの除外の精度を上げることができる。
【００４８】
図１３は、本実施形態に係る印鑑照合装置によって判定された誤差領域を示す図である。図１３に示した例では、印鑑照合制御部１００は、誤差画像６１２を縦方向および横方向にそれぞれ４分割することとしている。また、図１３に示した例では、印鑑照合制御部１００は、誤差領域６１３（６１３ａ）を所定量以上誤差がある領域であると判定している。また、印鑑照合制御部１００は、誤差領域６１３（６１３ａ）を新たに誤差画像として設定し、新たに設定した誤差画像に対して同様に誤差領域を判定する処理をさらに行うこともできる。これによって、所定量以上誤差がある領域をさらに狭い範囲によって特定することができる。
【００４９】
図１４は、本実施形態に係る印鑑照合装置によってさらに狭い範囲によって特定された誤差領域を示す図である。図１４に示した例では、印鑑照合制御部１００は、所定量以上誤差がある領域としての誤差領域６１３（６１３ｂ）をさらに狭い範囲によって特定している。
【００５０】
ステップＳ１７０では、ステップＳ１６０で決定した誤差領域を視覚的に把握することができるように表示するために、印鑑照合制御部１００は、誤差領域を特定するための情報を表示部（不図示）に出力する。なお、誤差領域を視覚的に把握することができるように表示する手法としては、例えば、誤差領域を拡大して表示したり、誤差領域を囲う色付き枠を表示したりする手法があげられる。
【００５１】
［効果の説明］
（１）本実施形態によれば、押印の際の力の大きさや方向等によって生じる誤差と軽微な異印が押印されたことによって生じる誤差とを区別することが可能となる。この効果は、印鑑照合装置１０が上記した誤差画像を作成すること、印鑑照合装置１０が誤差領域を判定すること等によって奏するものである。
（２）印鑑照合装置１０は、誤差画像を表示部に表示させることができる。また、印鑑照合装置１０は、誤差領域を注視すべき場所として表示部に強調表示させることができる。このため、印鑑照合装置１０のオペレータ等は、押印に使用された印鑑の印が異印であるか否かを容易に確認することが可能となる。
【００５２】
［変形例］
上記では、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００５３】
１０    印鑑照合装置
１０’  印鑑照合装置
１００    印鑑照合制御部
１００’  印鑑照合制御部
２００  登録印画像データ管理部
２１０  登録印画像データ記憶部
２１２  登録印画像
２１３  登録印画像
３００  照合用画像データ管理部
３１０  照合用画像データ記憶部
３１１  照合用画像
３１２  照合印画像
３１３  照合印画像
４００  帳票読取部
５００  誤差画像判定補助部
５１１  差分抽出画像
５１２  差分抽出画像
６１２  誤差画像
６１３  誤差領域
【図１】
2010231543.tif 000003
【図２】
2010231543.tif 000004
【図３】
2010231543.tif 000005
【図４】
2010231543.tif 000006
【図５】
2010231543.tif 000007
【図６】
2010231543.tif 000008
【図７】
2010231543.tif 000009
【図８】
2010231543.tif 000010
【図９】
2010231543.tif 000011
【図１０】
2010231543.tif 000012
【図１１】
2010231543.tif 000013
【図１２】
2010231543.tif 000014
【図１３】
2010231543.tif 000015
【図１４】
2010231543.tif 000016